(57)【要約】      （修正有）【課題】費用を抑えつつ、多極型ヒュージブルリンクの判別及び誤組付防止を可能とするハウジング、ヒューズ、及びヒューズボックスを提供する。【解決手段】ヒューズボックス収容部に収容される多極型ヒュージブルリンク２００に取り付けられるハウジング３００であって、多極型ヒュージブルリンク２００の種類に応じて、除去可能な誤組付防止用突起３３０を備え、誤組付防止用突起３３０の位置は、多極型ヒュージブルリンク２００が収容されるべき収容部に設けられた、誤組付防止用突起３３０を収容可能な凹部の位置と対応している。【選択図】図１
2018088418.tif 000002
【特許請求の範囲】
【請求項１】
ヒューズボックスの収容部に収容される多極型ヒュージブルリンクに取り付けられるハウジングであって、
前記多極型ヒュージブルリンクの種類に応じて、除去可能な誤組付防止用突起を備え、
前記誤組付防止用突起の位置は、
前記多極型ヒュージブルリンクが収容されるべき前記収容部に設けられた、前記誤組付防止用突起を収容可能な凹部の位置と対応していることを特徴とするハウジング。
【請求項２】
前記誤組付防止用突起を、複数設けたことを特徴とする請求項１に記載のハウジング。
【請求項３】
多極型ヒュージブルリンクと、請求項１又は２に記載のハウジングを備え、
前記多極型ヒュージブルリンクの一部に、前記ハウジングが取り付けられていることを特徴とするヒューズ。
【請求項４】
請求項３に記載のヒューズを収容可能な収容部を備えたヒューズボックスであって、
前記収容部には、前記ヒューズのハウジングに設けられた誤組付防止用突起を収容可能な凹部が設けられていることを特徴とするヒューズボックス。
【発明の詳細な説明】
【技術分野】
【０００１】
本願発明は、主に自動車用電気回路等に接続される、多極型ヒュージブルリンクに取り付けられるハウジング、多極型ヒュージブルリンクに当該ハウジングを取り付けたヒューズ、及び当該ヒューズを収容する車載用のヒューズボックスに関する。
【背景技術】
【０００２】
従来から、多極型ヒュージブルリンクは、自動車などにおいてバッテリと各種電装品との間に過電流が流れた場合に各種電装品を保護するために使用されてきた。具体的には、多極型ヒュージブルリンクは、主に、バッテリ電源等が接続される入力端子部と、当該入力端子部から入力された電流が流れるバスバー部と、当該バスバー部に可溶体部を介して接続された複数の出力端子部からなる。
【０００３】
そして、この多極型ヒュージブルリンクには、バスバー部と可溶体部を覆うようにして、ハウジングが取り付けられている。このハウジングは、絶縁性樹脂等で形成され、バスバー部や可溶体部を電気的及び物理的に保護しており、多極型ヒュージブルリンクをヒューズボックス等に安全に取り付けて使用することができる。
【０００４】
ところで、このヒューズボックスには、複数の種類の異なる多極型ヒュージブルリンクが取り付けられて使用されるのが一般的であり、所定の場所に、所定の多極型ヒュージブルリンクを正しく組み付ける必要がある。
【０００５】
そして、この多極型ヒュージブルリンクの種類は、遮断したい過電流の大きさに応じて、可容体部の抵抗値を変更したものや、入力端子部の形状を変更したものなど、多数存在する。しかし、これらを変更した多極型ヒュージブルリンクは、その全体形状が類似しており、ユーザが目視で多極型ヒュージブルリンクの種類を判別するのは難しい。そのため、ユーザにとっては、複数ある多極型ヒュージブルリンクの中から、特定の多極型ヒュージブルリンクを選んで、ヒューズボックスの所定の場所へ正しく組み付けるのが困難であり、誤った場所に組み付けてしまう問題があった。
【０００６】
そこで、従来技術では、多極型ヒュージブルリンクの種類に応じた目印をハウジングに印字して、多極型ヒュージブルリンクの種類を容易に判別可能にし、誤った場所へ組み付けることを防止するものや、また、多極型ヒュージブルリンクの種類に応じてハウジング自体の形状を変更することで、多極型ヒュージブルリンクを誤った場所へ組み付けることを物理的に防止するものがあった。
【０００７】
しかしながら、ハウジングに印字しただけでは、ユーザが印字を誤認して、多極型ヒュージブルリンクを誤った場所に取り付けてしまうことは防止できず、さらに、多極型ヒュージブルリンクの種類に応じてハウジング自体の形状を変更するとなると、ハウジング成形用の型等を新たに用意しなければならず、その分、製造費用が高くなる問題があった。
【発明の開示】
【発明が解決しようとする課題】
【０００８】
そこで、本願発明は、上記問題に鑑み、費用を抑えつつ、多極型ヒュージブルリンクの判別及び誤組付防止を可能とするハウジング、ヒューズ、及びヒューズボックスを提供することを目的とする。
【課題を解決するための手段】
【０００９】
本願発明のハウジングは、ヒューズボックスの収容部に収容される多極型ヒュージブルリンクに取り付けられるハウジングであって、前記多極型ヒュージブルリンクの種類に応じて、除去可能な誤組付防止用突起を備え、前記誤組付防止用突起の位置は、前記多極型ヒュージブルリンクが収容されるべき前記収容部に設けられた、前記誤組付防止用突起を収容可能な凹部の位置と対応していることを特徴としている。
【００１０】
上記特徴によれば、多極型ヒュージブルリンクの種類に応じて誤組付防止用突起を除去することにより、多極型ヒュージブルリンクの種類を、誤組付防止用突起の有無により形状的に判別可能となる。さらに、誤組付防止用突起の位置は、多極型ヒュージブルリンクが収容されるべきヒューズボックスの凹部の位置と対応しているので、誤った場所に多極型ヒュージブルリンクが収容されそうになっても、誤組付防止用突起がヒューズボックスの収容部の一部に接触して収容されず、物理的に誤組付けを防止できる。
【００１１】
また、ハウジングは、形状が類似する異種の多極型ヒュージブルリンクに、共通で取り付けることができる共通部品であり、事後的に、各多極型ヒュージブルリンクの種類に応じて、誤組付防止用突起を除去して、各多極型ヒュージブルリンクの判別及び誤組付防止が可能である。これは、従来のように、多極型ヒュージブルリンクの種類に応じてハウジング自体の形状を変更するために、ハウジング成形用の型等を新たに用意することに比べたら、遙かに費用が安くて済む。
【００１２】
さらに、本願発明のハウジングは、誤組付防止用突起を、複数設けたことを特徴としている。
【００１３】
上記特徴によれば、誤組付防止用突起が複数あるので、多極型ヒュージブルリンクの種類に応じて、除去する誤組付防止用突起を選択でき、その結果、形状的に区別可能な多極型ヒュージブルリンクの数が増える。したがって、形状が類似する異種の多極型ヒュージブルリンクが複数存在する場合に、各多極型ヒュージブルリンクの判別及び誤組付防止が可能となり、さらに、ハウジングは、複数の多極型ヒュージブルリンクに取付け可能な共通部品であるから、従来と比較して費用を抑える効果が、より一層顕著になる。
【００１４】
さらに、本願発明のヒューズは、多極型ヒュージブルリンクと、上記本願発明のハウジングを備え、前記多極型ヒュージブルリンクの一部に、前記ハウジングが取り付けられていることを特徴としている。
【００１５】
上記特徴によれば、異種の多極型ヒュージブルリンクを備えた各本願発明のヒューズを、ヒューズボックス等に組み付けて使用する場合に、当該ヒューズの判別及び誤組付防止が可能となる。
【００１６】
さらに、本願発明のヒューズボックスは、上記本願発明のヒューズを収容可能な収容部を備えたヒューズボックスであって、前記収容部には、前記ヒューズのハウジングに設けられた誤組付防止用突起を収容可能な凹部が設けられていることを特徴としている。
【００１７】
上記特徴によれば、異種の多極型ヒュージブルリンクを備えた本願発明のヒューズを組み付ける場合に、当該ヒューズの誤組付けを防止することができる。
【発明の効果】
【００１８】
上記したように、本願発明のハウジング、ヒューズ、及びヒューズボックスによれば、費用を抑えつつ、多極型ヒュージブルリンクの判別及び誤組付防止を可能とする。
【図面の簡単な説明】
【００１９】
【図１】（ａ）は、本願発明に係るヒューズの分解斜視図である。（ｂ）は本願発明に係るヒューズを示す全体斜視図である。
【図２】（ａ）は、図１に示すヒューズの正面図、（ｂ）は、当該ヒューズの平面図である。
【図３】（ａ）は、本願発明に係るヒューズの平面図及び正面図、（ｂ）は、図３（ａ）に示すヒューズとは種類が異なるヒューズの平面図及び正面図である。
【図４】（ａ）は、本願発明に係るヒューズボックスの全体斜視図、（ｂ）は、当該ヒューズボックスの平面図である。
【図５】（ａ）は、図３（ａ）及び（ｂ）に示すヒューズの平面図、（ｂ）及び（ｃ）は図４に示すヒューズボックスにヒューズを取り付けた平面図である。
【図６】（ａ）は、本願発明の他の実施形態に係るハウジング及びヒューズを示す平面図、（ｂ）は当該ヒューズに対応したヒューズボックスの平面図である。
【発明を実施するための形態】
【００２０】
＜実施形態１＞
以下に、本願発明の実施形態１について、図面を用いて説明する。なお、以下で説明する実施形態における多極型ヒュージブルリンク、ヒューズ、及びヒューズボックスの各部材の形状や材質等は、一例を示すものであって、これらに限定されるものではない。
【００２１】
図１は、本願発明のヒューズ１００を示すもので、このヒューズ１００は、多極型ヒュージブルリンク２００とハウジング３００とからなる。この多極型ヒュージブルリンク２００は、バッテリ電源等が接続される接続孔２１１を備えた入力端子部２１０と、バスバー部２２０と、バスバー部２２０に接続された複数の可容体部２３０と、可容体部２３０を介して接続された複数の出力端子部２４０とからなる。なお、バスバー部２２０には複数の第１貫通孔２２１が、各出力端子部２４０には第２貫通孔２４１が形成されている。
【００２２】
また、多極型ヒュージブルリンク２００は、厚さが均一な銅等の導電性金属板を図１（ａ）に示すような形状に打ち抜いて、入力端子部２１０、バスバー部２２０、可容体部２３０、及び出力端子部２４０を一体的に成形している。なお、入力端子部２１０、バスバー部２２０、可容体部２３０、及び出力端子部２４０を個別に用意し、これらを溶接等して、多極型ヒュージブルリンク２００を構成してもよい。
【００２３】
また、ハウジング３００は背面側ハウジング３１０と前面側ハウジング３２０とから構成されている。背面側ハウジング３１０は内面に複数の第１連結突起３１１と第２連結突起３１２を備え、前面側ハウジング３２０は内面から外面まで貫通する第１連結孔３２１と第２連結孔３２２を備える。また、第２連結孔３２２に隣接する位置に、合計３つの誤組付防止用突起３３０が、前面側ハウジング３２０の表面から突出形成されている。そして、背面側ハウジング３１０と前面側ハウジング３２０は、後述するように、多極型ヒュージブルリンク２００を挟み込むように覆い、互いに結合できるものである。なお、この背面側ハウジング３１０及び前面側ハウジング３２０は、絶縁性の合成樹脂等を用いて、図１（ａ）に示すような形状に、金型を用いて成形されている。
【００２４】
では、図１（ａ）を参照して、ヒューズ１００の組み立て方について説明する。まず、背面側ハウジング３１０の第１連結突起３１１がバスバー部２２０の第１貫通孔２２１を、第２連結突起３１２が第２貫通孔２４１をそれぞれ貫通するように、背面側ハウジング３１０を多極型ヒュージブルリンク２００の背面側から宛がう。次に、多極型ヒュージブルリンク２００の表面から突出した背面側ハウジング３１０の第１連結突起３１１の先端が、前面側ハウジング３２０の第１連結孔３２１を、第２連結突起３１２の先端が第２連結孔３２２を貫通するように、前面側ハウジング３２０を多極型ヒュージブルリンク２００の前面側から宛がう。すると、図１（ｂ）に示す状態となる。
【００２５】
この図１（ｂ）に示すように、多極型ヒュージブルリンク２００のバスバー部２２０と可容体部２３０はハウジング３００によって覆われ、入力端子部２１０と出力端子部２４０は、外部の端子等と接続するために、ハウジング３００から露出している。そして、この状態で、前面側ハウジング３２０の表面から突出した第１連結突起３１１と第２連結突起３１２の先端を加熱して溶かし、背面側ハウジング３１０と前面側ハウジング３２０を互いに強固に結合して、多極型ヒュージブルリンク２００とハウジング３００とを一体化させる。すると、図２（ａ）及び（ｂ）に示すように、ヒューズ１００のハウジング３００の下端側に設けられた誤組付防止用突起３３０のみが、ハウジング３００の表面から突出することになる。なお、ハウジング３００には透明窓Ｗが取り付けられており、可容体部２３０を外部から目視できるようになっている。
【００２６】
また、後述するように、ヒューズ１００には、類似の形状をした異なる種類が複数存在しており、例えば、多極型ヒュージブルリンク２００の可容体部２３０の抵抗値を変更したものや、入力端子部２１０の形状を変更したものがある。そして、これらの変更を加えても、基本的には多極型ヒュージブルリンク２００の全体形状は大きく変わることがないので、ハウジング３００は、異なる種類の各多極型ヒュージブルリンク２００に問題無く取り付けることができ、共通部品として用いられる。
【００２７】
では、ここで、このハウジング３００の利用方法について説明する。まず、後述するヒューズボックスには、一般的に、複数の異なる種類のヒューズが差し込まれて収容される。本実施形態１では、図３（ａ）及び（ｂ）に示すように、２つの異なる種類のヒューズ１００Ａとヒューズ１００Ｂを用いる場合について説明する。
【００２８】
このヒューズ１００Ａとヒューズ１００Ｂは、図１と図２で示した方法で、共通のハウジング３００を取り付けたものであるが、図３（ａ）及び（ｂ）に示すように、それぞれの入力端子部２１０Ａと入力端子部２１０Ｂの長さが異なる異種のものである。そこで、これらを区別するために、ヒューズ１００Ａとヒューズ１００Ｂに取り付けられた各ハウジング３００の誤組付防止用突起３３０を利用する。
【００２９】
具体的には、ヒューズ１００Ａのハウジング３００の誤組付防止用突起３３０は除去せずに、そのまま残し、一方のヒューズ１００Ｂのハウジング３００の誤組付防止用突起３３０はすべて加熱して除去している（なお、図３（ｂ）には、誤組付防止用突起３３０を除去した後の除去痕３３１を示す。）。
【００３０】
また、この除去作業は、図１（ｂ）を参照して説明した、背面側ハウジング３１０と前面側ハウジング３２０を互いに結合するために、前面側ハウジング３２０の表面から突出した第１連結突起３１１と第２連結突起３１２を加熱して溶かす作業と、連続して行うと作業効率がよい。なお、本実施形態１では、誤組付防止用突起３３０を加熱して除去しているが、当該方法以外にも、誤組付防止用突起３３０を物理的に切断する方法など、除去可能な方法であれば適宜採用することができる。
【００３１】
では次に、図４に、本願発明のヒューズボックス４００を示す。このヒューズボックス４００は、図３に示すヒューズ１００Ａを収容するための収容部４１０Ａと、ヒューズ１００Ｂを収容するための収容部４１０Ｂを備えている。この収容部４１０Ａは、上方からヒューズ１００Ａを差し込めるように、ヒューズ１００Ａのハウジング３００を収容可能なハウジング収容部４１２Ａと、除去せずに残した誤組付防止用突起３３０を収容可能な凹部４１３と、ヒューズ１００Ａの入力端子部２１０Ａを収容可能な端子収容部４１４Ａを備える。また、収容部４１０Ｂは、ヒューズ１００Ｂのハウジング３００を収容可能なハウジング収容部４１２Ｂと、ヒューズ１００Ｂの入力端子部２１０Ｂを収容可能な端子収容部４１４Ｂを備える。
【００３２】
次に、図５を参照して、ヒューズ１００Ａとヒューズ１００Ｂが、このヒューズボックス４００へ誤組付けされるのを防止することについて説明する。
【００３３】
まず、本来の正しい組み付け位置について説明すると、ヒューズ１００Ａは収容部４１０Ａに収容され、ヒューズ１００Ｂは収容部４１０Ｂに収容されるのが正しい。しかし、ユーザは、各ヒューズ１００をどの収容部４１０に正しく組み付けてよいか認識できない場合がある。
【００３４】
具体的には、収容部４１０Ａと収容部４１０Ｂはどちらも類似した形状であって、互いに隣接しているので、ユーザにとっては、ヒューズ１００Ａをどちらに収容するべきか正しく判断できない可能性がある。しかしながら、収容部４１０Ｂには、誤組付防止用突起３３０を収容可能な凹部４１３が設けられていないので、ヒューズ１００Ａの誤組付防止用突起３３０が収容部４１０Ｂの開口縁部に接触して収容できない。そのため、ユーザが誤って、ヒューズ１００Ａを収容部４１０Ｂに収容しようとしても、ヒューズ１００Ａの誤組付防止用突起３３０が邪魔をして物理的に収容不可能であり、誤組付けが確実に防止される。
【００３５】
なお、誤組付防止用突起３３０は、ハウジング３００の任意の場所に設けることができる。ただ、本実施形態１においては、誤組付防止用突起３３０はハウジング３００の下端側に設けられているので、ヒューズ１００Ａを収容部４１０Ｂの奥まで差し込む前の早い段階で、誤組付防止用突起３３０が収容部４１０Ｂの開口縁部に接触する。そのため、ユーザに誤った場所に収容しようとしていることを早期に認識させることができる。
【００３６】
一方、収容部４１０Ａには、誤組付防止用突起３３０に対応する位置に凹部４１３が形成されているので、図５（ｂ）に示すように、ヒューズ１００Ａを収容部４１０Ａに収容することができるのである。
【００３７】
そして、ヒューズ１００Ａは収容部４１０Ａのみに収容可能であるから、図５（ｃ）に示すように、他方のヒューズ１００Ｂは収容部４１０Ｂに収容するべきであるとわかる。したがって、ヒューズ１００Ａとヒューズ１００Ｂは、それぞれ所定の正しい収容部に収容され、誤った場所に組み付けられることはない。
【００３８】
さらに、この誤組付防止用突起３３０を備えるハウジング３００は、ヒューズ１００Ａとヒューズ１００Ｂの両方に取り付けることができる共通部品であって、事後的に、誤組付防止用突起３３０を必要に応じて除去して、両者を区別可能及び誤組付防止が可能なものである。これは、従来のように、多極型ヒュージブルリンクの種類に応じてハウジング自体の形状を変更するために、ハウジング形成用の型等を新たに用意することに比べたら、遙かに費用が安くて済む。
【００３９】
なお、本実施形態１では、ヒューズ１００Ａとヒューズ１００Ｂを組み付ける順番は、ヒューズ１００Ｂが収容部４１０Ｂに収容された後に、ヒューズ１００Ａが収容部４１０Ａに収容されるのが正しい。また、ヒューズ１００Ａの入力端子部２１０Ａは、ヒューズ１００Ｂの入力端子部２１０Ｂに重ねて収容できる構成になっている。一方、ヒューズ１００Ｂの入力端子部２１０Ｂは、ヒューズ１００Ａの入力端子部２１０Ａに重ねると、入力端子部２１０Ｂがヒューズ１００Ａのハウジング３００の上端部に接触する。そのため、ヒューズ１００Ｂの入力端子部２１０Ｂは、ヒューズ１００Ａの入力端子部２１０Ａに重ねて収容することが出来ない構成となっている。
【００４０】
そして、仮に、ユーザがこの順番を誤って認識してしまい、ヒューズ１００Ａから先にヒューズボックス４００へ収容しようと試みたとする。しかし、上述したように、ヒューズ１００Ａは、収容部４１０Ｂへ物理的に収容することができないので、収容部４１０Ａに収容すべきとわかる。次に、ユーザは、ヒューズ１００Ｂを収容部４１０Ｂへ収容しようと試みる。しかし、ヒューズ１００Ｂの入力端子部２１０Ｂは、先に収容部４１０Ａに収容されているヒューズ１００Ａのハウジング３００の上端部に接触するので、物理的に収容部４１０Ｂへは収容できないのである。したがって、ユーザは、ヒューズ１００Ａとヒューズ１００Ｂの収容する順番が誤ったことに気づくことになる。
【００４１】
＜実施形態２＞
以下では、図６を参照して、本願発明の実施形態２について説明する。なお、ハウジング７００の構成は、ハウジング７００の誤組付防止用突起７３１と誤組付防止用突起７３２が、図１に示すハウジング３００の誤組付防止用突起３３０の数及び位置と異なるが、他の点においてはハウジング３００と共通しているので、その共通する構成については説明を省略する。また、多極型ヒュージブルリンク６００Ａ、及び多極型ヒュージブルリンク６００Ｂの構成は、図１に示す多極型ヒュージブルリンク２００と可容体部２３０の抵抗値が異なるが、他の点においては多極型ヒュージブルリンク２００と共通しているので、その共通する構成については説明を省略する。
【００４２】
図６（ａ）に示すように、多極型ヒュージブルリンク６００Ａ、及び多極型ヒュージブルリンク６００Ｂのそれぞれは、互いに可容体部の抵抗値が異なる異種のものであるが、全体形状は類似しているため、ハウジング７００は多極型ヒュージブルリンク６００Ａ及び多極型ヒュージブルリンク６００Ｂの両方に取り付けることのできる共通部品である。
【００４３】
そして、ヒューズ５００Ａでは、多極型ヒュージブルリンク６００Ａの種類に応じて誤組付防止用突起７３２のみを除去する。次に、ヒューズ５００Ｂでは、多極型ヒュージブルリンク６００Ｂの種類に応じて誤組付防止用突起７３１のみを除去する。
【００４４】
ここで、各多極型ヒュージブルリンク６００の形状は類似しているため、各多極型ヒュージブルリンク６００の種類を判別するのが困難で、その種類に応じて誤組付防止用突起７３１又は誤組付防止用突起７３２のどちらを選択して除去するべきか判断が難しい場合もある。
【００４５】
その場合は、ハウジング７００から露出している、入力端子部と出力端子部とを利用して多極型ヒュージブルリンク６００の種類を判別する。具体的には、各多極型ヒュージブルリンク６００は可容体部の抵抗値が異なるため、入力端子部と出力端子部との間の抵抗値を測定すれば、入力端子部と出力端子部との間に位置する可容体部の抵抗値を測定できる。このようにして、各多極型ヒュージブルリンク６００の可容体部の抵抗値を測定して、各多極型ヒュージブルリンク６００の種類を判別し、その種類に応じて、誤組付防止用突起７３１又は誤組付防止用突起７３２を選択して除去する。
【００４６】
また上記方法以外にも、可容体部の抵抗値を目視で認識可能なように、可容体部周辺に目印を付けておけば、ハウジング７００の透明窓Ｗからその目印を確認できる。そして、その目印によって、各多極型ヒュージブルリンク６００の種類を判別し、その種類に応じて誤組付防止用突起７３１又は誤組付防止用突起７３２を選択的に除去することもできる。
【００４７】
次に、ヒューズボックス８００についてであるが、図６（ｂ）に示すように、ヒューズ５００Ａを収容可能な収容部８１０Ａと、ヒューズ５００Ｂを収容可能な収容部８１０Ｂを備えている。収容部８１０Ａは、ヒューズ５００Ａの誤組付防止用突起７３１を収容可能な凹部８１３Ａを、誤組付防止用突起７３１に対応する位置に設けている。また、収容部８１０Ｂは、ヒューズ５００Ｂの誤組付防止用突起７３２を収容可能な凹部８１３Ｂを、誤組付防止用突起７３２に対応する位置に設けている。このように、各収容部８１０は、自身に収容されるべきヒューズ５００の誤組付防止用突起に対応した位置にのみ、凹部８１３を設けている。
【００４８】
では次に、図６（ａ）及び（ｂ）を参照して、ヒューズ５００Ａとヒューズ５００Ｂが、このヒューズボックス８００へ誤組付けされるのを防止することについて説明する。
【００４９】
まず、ユーザは、ヒューズ５００Ａを誤って収容部８１０Ｂに収容しようと試みたとする。しかし、収容部８１０Ｂの開口縁部に、ヒューズ５００Ａの誤組付防止用突起７３１が接触して、物理的に収容することができない。つまり、ヒューズ５００Ａは収容部８１０Ａのみに収容することができので、ユーザは、ヒューズ５００Ａを収容部８１０Ａ以外の誤った場所に組み付けることがないのである。
【００５０】
また、ユーザは、ヒューズ５００Ｂを誤って収容部８１０Ａに収容しようと試みたとする。しかし、収容部８１０Ａの開口縁部に、ヒューズ５００Ｂの誤組付防止用突起７３２が接触して、物理的に収容することができない。つまり、ヒューズ５００Ｂは、収容部８１０Ｂのみに収容することができるので、ユーザは、ヒューズ５００Ｂを収容部８１０Ｂ以外の誤った場所に組み付けることがないのである。
【００５１】
そして、ヒューズ５００Ａは収容部８１０Ａのみに収容可能で、ヒューズ５００Ｂは収容部８１０Ｂのみに収容可能であるから、ヒューズ５００Ａとヒューズ５００Ｂは互いに、誤って組み付けられることがないのである。
【００５２】
このように、少なくとも２つの誤組付防止用突起７３１及び誤組付防止用突起７３２を選択的に利用することで、２種類のヒューズ５００Ａ及びヒューズ５００Ｂを形状的に区別可能となり、さらに、ヒューズ５００Ａは収容部８１０Ａのみに収容可能で、５１０Ｂは収容部８１０Ｂのみに収容可能であるから、２つの各ヒューズ５００は、それぞれ正しい収容部のみに組み付けられる。
【００５３】
なお、本実施形態２のように、２つの誤組付防止用突起７３１と誤組付防止用突起７３２を利用する以外にも、誤組付防止用突起を少なくとも３つ以上に増やせば、形状的に３つ以上の種類のヒューズを区別可能になると共に、この３つ以上の種類のヒューズ間での、誤組み付けが防止できる。
【００５４】
また、本願発明のハウジング、ヒューズ、及びヒューズボックスは、上記の実施例に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００５５】
本願発明のハウジング、ヒューズ、及びヒューズボックスの用途は、自動車用電気回路用に限られず、種々の用途の電気回路にヒューズとして使用でき、これらも本願発明の範囲に含まれることは勿論である。
【符号の説明】
【００５６】
１００        ヒューズ
２００        多極型ヒュージブルリンク
３００        ハウジング
３３０        誤組付防止用突起
４００        ヒューズボックス
４１３        凹部
【図１】
2018088418.tif 000003
【図２】
2018088418.tif 000004
【図３】
2018088418.tif 000005
【図４】
2018088418.tif 000006
【図５】
2018088418.tif 000007
【図６】
2018088418.tif 000008
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
多極型ヒュージブルリンクと、当該多極型ヒュージブルリンクの一部に取り付けられるハウジングとを備え、ヒューズボックスの収容部に差し込まれて収容されるヒューズであって、
前記多極型ヒュージブルリンクの種類に応じて、除去可能な誤組付防止用突起を、前記ハウジングの側面の下端側に備え、
前記誤組付防止用突起の位置は、
前記ヒューズが差し込まれて収容されるべき前記収容部の側面に設けられた、前記誤組付防止用突起を収容可能な凹部の位置と対応していることを特徴とするヒューズ。
【請求項２】
前記誤組付防止用突起を、複数設けたことを特徴とする請求項１に記載のヒューズ。
【請求項３】
請求項１又は２に記載のヒューズを収容可能な収容部を備えたヒューズボックスであって、  前記収容部には、前記ヒューズのハウジングに設けられた誤組付防止用突起を収容可能な凹部が設けられていることを特徴とするヒューズボックス。